【手続補正書】
【提出日】平成18年3月22日(2006.3.22)
【手続補正１】
【補正対象書類名】明細書
【補正対象項目名】発明の名称
【補正方法】変更
【補正の内容】
【発明の名称】遠隔オークションのための装置
【手続補正２】
【補正対象書類名】明細書
【補正対象項目名】特許請求の範囲
【補正方法】変更
【補正の内容】
【特許請求の範囲】
【請求項１】
複数の商品が実際に陳列されている店舗を利用して、前記店舗内に陳列されている少なくとも「一つの商品」について、店舗の実際の来店客とネットワーク上の遠隔の顧客とが一緒に「連続する複数の日を入札期間とするオークション」に参加できるようにした遠隔オークションのための装置であって、
店舗内に陳列されている複数の商品の中の「或る一つの商品」の近傍又はその表面に配置された表示手段と、
前記表示手段を制御するための表示制御手段であって、（ａ）前記表示手段の表示内容がそれの近傍に配置されている前記「一つの商品」と１対１の対応関係にある表示内容であるということが店舗の実際の来店客に分かるように、且つ、（ｂ）前記表示手段と１対１の対応関係にある前記「一つの商品」のオークションの「連続する複数の日から成る入札期間」の間、前記「一つの商品」についてのみのオークション最高入札価格を継続して表示するように、すなわち前記「一つの商品」以外の他の商品についてのオークション最高入札価格は表示しないように、前記表示手段を制御するための表示制御手段と、
前記「連続する複数の日から成る入札期間」中に、店舗の実際の来店客から又はネットワーク上の遠隔の顧客側からの前記「一つの商品」のオークション入札価格を受け付けるための入札価格受付手段と、
前記入札価格受付手段が受け付けた入札価格データを前記「一つの商品」と関連付けて記録するための入札価格記録手段と、
前記「連続する複数の日から成る入札期間」の間、店舗の実際の来店客から又はネットワーク上の遠隔の顧客側から受け付けた前記「一つの商品」のオークション入札価格が、前記「一つの商品」についての前記入札期間における最高入札価格であるとき、前記表示手段の画面中の前記「一つの商品」についての最高入札価格の表示を、前記の新たな最高入札価格に更新するための表示更新手段と、
店舗内の映像であって前記「一つの商品」を含む映像を取得するための映像取得手段と、
前記映像取得手段により取得された前記「一つの商品」を含む映像を、オークションの対象を示すものとして略リアルタイムにネットワーク上の遠隔の顧客に閲覧させるために、ネットワークを介して、略リアルタイムにネットワーク上の遠隔の顧客側に送信するための映像送信手段と、
を含むことを特徴とする、遠隔オークションのための装置。
【請求項２】  請求項１において、前記映像取得手段は、前記「一つの商品」とその近傍又は表面に配置された前記表示手段の表示内容とを共に含む映像を取得するものであり、前記映像送信手段は、前記「一つの商品」とその近傍又は表面に配置された前記表示手段の表示内容とを共に含む映像をネットワーク上の遠隔の顧客側に送信するものである、ことを特徴とする、遠隔オークションのための装置。
【手続補正３】
【補正対象書類名】明細書
【補正対象項目名】０００１
【補正方法】変更
【補正の内容】
【０００１】
【発明の属する技術分野】
本発明は、遠隔のユーザーが、実際に来店している顧客と同様に、互いの利害を調整しながら、美術品やアンティーク（骨董品）、古着などの「現実の世界の店舗で行われているオークション」に、実際に来店している顧客と同等の立場で、参加することができる遠隔オークションのための装置に関する。
【手続補正４】
【補正対象書類名】明細書
【補正対象項目名】０００５
【補正方法】変更
【補正の内容】
【０００５】
本発明は、このような発想に基づき、遠隔のユーザーが、実際に来店している顧客と同様に、互いの利害を調整しながら、美術品やアンティーク（骨董品）、古着などの「現実の世界の店舗で行われているオークション」に、実際に来店している顧客と同等の立場で、参加することができる遠隔オークションのための装置を提供すること、また、例えば、美術商、骨董品販売業者、古着販売業者、又は中古品を販売したい個人などが、来店する人々と遠隔の多数の人々とを顧客として、オークションを行うことを可能にするための遠隔オークションのための装置を提供することを目的とする。
【手続補正５】
【補正対象書類名】明細書
【補正対象項目名】０００６
【補正方法】変更
【補正の内容】
【０００６】
本出願人が本願により保護を請求する発明に係る遠隔オークションのための装置は、
複数の商品が実際に陳列されている店舗を利用して、前記店舗内に陳列されている少なくとも「一つの商品」について、店舗の実際の来店客とネットワーク上の遠隔の顧客とが一緒に「連続する複数の日を入札期間とするオークション」に参加できるようにした遠隔オークションのための装置であって、店舗内に陳列されている複数の商品の中の「或る一つの商品」の近傍又はその表面に配置された表示手段と、（ａ）前記表示手段の表示内容がそれの近傍に配置されている前記「一つの商品」と１対１の対応関係にある表示内容であるということが店舗の実際の来店客に分かるように、且つ、（ｂ）前記表示手段と１対１の対応関係にある前記「一つの商品」のオークションの「連続する複数の日から成る入札期間」の間、前記「一つの商品」についてのみのオークション最高入札価格を継続して表示するように、すなわち前記「一つの商品」以外の他の商品についてのオークション最高入札価格は表示しないように、前記表示手段を制御するための表示制御手段と、前記「連続する複数の日から成る入札期間」中に、店舗の実際の来店客から又はネットワーク上の遠隔の顧客側からの前記「一つの商品」のオークション入札価格を受け付けるための入札価格受付手段と、前記入札価格受付手段が受け付けた入札価格データを前記「一つの商品」と関連付けて記録するための入札価格記録手段と、前記「連続する複数の日から成る入札期間」の間、店舗の実際の来店客から又はネットワーク上の遠隔の顧客側から受け付けた前記「一つの商品」のオークション入札価格が、前記「一つの商品」についての前記入札期間における最高入札価格であるとき、前記表示手段の画面中の前記「一つの商品」についての最高入札価格の表示を、前記の新たな最高入札価格に更新するための表示更新手段と、店舗内の映像であって前記「一つの商品」を含む映像を取得するための映像取得手段と、前記映像取得手段により取得された前記「一つの商品」を含む映像を、オークションの対象を示すものとして略リアルタイムにネットワーク上の遠隔の顧客に閲覧させるために、ネットワークを介して、略リアルタイムにネットワーク上の遠隔の顧客側に送信するための映像送信手段と、を含むことを特徴とするものである。
なお、本発明において、前記映像取得手段は、前記「一つの商品」とその近傍又は表面に配置された前記表示手段の表示内容とを共に含む映像を取得するものであり、前記映像送信手段は、前記「一つの商品」とその近傍又は表面に配置された前記表示手段の表示内容とを共に含む映像をネットワーク上の遠隔の顧客側に送信するものである、ことが望ましい。
【手続補正６】
【補正対象書類名】明細書
【補正対象項目名】００１２
【補正方法】変更
【補正の内容】
【００１２】
【発明の実施の形態】
次に、本発明の一実施形態を説明する。図１は本実施形態による遠隔オークションのための装置（以下では「遠隔オークションシステム」と表現することがある）を示す概略図である。本実施形態は、従来オークションを行わなかった中小の美術商、骨董品販売業者、古着販売業者、又は中古品を販売したい個人などが、来店する人々と遠隔の多数の人々とを顧客として、オークション（ａｕｃｔｉｏｎ）を行うことを可能にするための遠隔オークションのための装置である。
【手続補正７】
【補正対象書類名】明細書
【補正対象項目名】００３１
【補正方法】変更
【補正の内容】
【００３１】
【発明の効果】
以上のように、本発明によれば、遠隔のユーザーからか又は実際に来店した顧客からかのいずれから購入希望価格を受け付けたかに拘わらず、前記表示制御手段及び表示更新手段により、常に、最新の購入希望価格を、オークション対象の商品と１対１の関係が分かるように、リアルタイムに又はほぼリアルタイムに、表示できる。よって、遠隔のユーザーと実際に来店した顧客とが、全く対等の立場で、オークションに参加することができる。しかも、遠隔のユーザーと実際に来店した顧客とを含む多数の顧客からの購入希望価格の最高価格を、常に、リアルタイム又はほぼリアルタイムに、遠隔のユーザー及び実際に来店した顧客の両者が平等に知ることができるので、遠隔のユーザーと実際に来店した顧客との利害が適正に調整できるようになる（つまり、どちらかが有利でどちらかが不利になるということが無い）。よって、従来の店舗は、実際に来店できない遠隔の地域に在住する人々にもオークションに参加させることができるようになる。
また、本発明によれば、例えば、美術商、骨董品販売業者、古着販売業者、又は中古品を販売したい個人などでも、実際に来店する人々とネットワーク上の遠隔の多数の人々とを顧客として、オークションを行うことが可能になる。